(57)【要約】【課題】基準試料と試料との色差に最も影響を与えているスペクトル情報の波長領域を、短時間で効率良く把握することができる色合わせ支援装置を提供する。【解決手段】  基準色スペクトル曲線を設定する基準曲線設定手段４３と、サンプルスペクトル曲線を設定するサンプル曲線設定手段４４と、ハイブリッドスペクトル曲線を設定するハイブリッド曲線設定手段４５と、特定の波長領域を、逐次、一定波長分増大しながら設定する波長領域設定手段４２と、ハイブリッドスペクトル曲線と基準色スペクトル曲線との色差を、それぞれ計算する色差計算手段４６と、色差計算手段４６が計算した色差と目標色差を比較し、目標色差以下の色差を与える波長領域を決定する比較判定手段４７とを備える。【選択図】      図２
0003131138.tif 000002
【実用新案登録請求の範囲】
【請求項１】
基準色の分光スペクトルを計算し基準色スペクトル曲線として設定する基準曲線設定手段と、
前記基準色に対し色合わせされるサンプルの分光スペクトルを計算しサンプルスペクトル曲線として設定するサンプル曲線設定手段と、
特定の波長領域において前記基準色スペクトル曲線に近似し、他の波長領域ではサンプルスペクトル曲線に近似するハイブリッドスペクトル曲線を設定するハイブリッド曲線設定手段と、
前記特定の波長領域を、逐次、一定波長分増大しながら設定する波長領域設定手段と、
前記ハイブリッドスペクトル曲線と前記基準色スペクトル曲線との色差を、それぞれ計算する色差計算手段と、
該色差計算手段が計算した色差と、目標色差を比較し、目標色差以下の色差を与える波長領域を決定する比較判定手段
とを備え、前記基準色スペクトル曲線と前記サンプルスペクトル曲線との色差を目標色差以下にする波長領域を決定することを特徴とする色合わせ支援装置。
【考案の詳細な説明】
【技術分野】
【０００１】
本考案は、工業測定や化学分析などによって得られる測定情報に基づいて、試料の色彩と基準試料の色彩との色差を求める色合わせ支援装置に係り、特に、色合わせに必要な波長領域を決定可能な色合わせ支援装置に関する。
【背景技術】
【０００２】
従来、色彩測定器は、基準試料の色彩と試料の色彩との色差を求めることによって、例えば工場の生産過程において多量に生産された製品の色彩が、所定の色彩になっているか否かを検査するために利用され、又、企業の研究過程において基準試料の色彩が、時間の経過に伴って、どの程度変化するかを客観的に把握するために利用されている。この色彩測定器は、試料の色彩を測定する分光光度計などで構成される測定部と、測定により得られるスペクトル情報を収集する測定情報収集部と、収集されたスペクトル情報を色彩情報に変換処理等を行うためのＣＰＵやメモリ等で構成される処理部と、測定結果や演算結果を表示するモニタとを備える。
【０００３】
測定部は、基準となる色彩を備えた基準試料が測定部にセットされると、基準試料に種々の波長の光を照射して、この試料を反射した光を受光する。測定情報収集部は、この受光によって得られるスペクトル情報を収集する。同様にして、複数個の試料に対して、各々のスペクトル情報を収集する。処理部は、このスペクトル情報に基づいて、色彩計算を行い基準色彩情報を求める。次に、複数個の試料についても同様にして、試料毎の色彩情報を求める。更に、各色彩情報と基準色彩情報との差である色差を試料毎に求め、この結果をモニタに表示する。測定者は、試料毎の色差の値を観察することで、基準試料の色彩に対する各試料の色彩のズレを客観的に把握することができる。
【０００４】
上述した色彩情報は、スペクトル情報に基づいて、「ＪＩＳ  Ｚ  ８７２２」で規定されている計算方法によって算出された三刺激値Ｘ、Ｙ、Ｚによって、例えばＸＹＺ表色系、Ｌ*ａ*ｂ*表色系などの表色系で表される。このＬ*ａ*ｂ*表色系では、Ｌ*は明度、ａ*とｂ*とで色相と彩度を示す。このＬ*、ａ*、ｂ*は、三刺激値Ｘ、Ｙ、Ｚによって既知の計算式でそれぞれ求められる。なお、三刺激値Ｘ、Ｙ、Ｚの計算方法は：
（分光反射（透過）率）×（目の感度特性）×（光の分光分布）……（１）
で表される（特許文献１参照。）。ここで、分光反射率は、種々の波長の光が試料に照射された場合に、波長毎の試料での反射率又は吸収率を示すスペクトル情報Ｒ（λ）で表される。目の感度特性は、等色関数値ｘ（λ）、ｙ（λ）、ｚ（λ）で表され、光の分光分布は、既知の光源の分光特性Ｓ（λ）で表される。目の感度特性及び光の分光分布は、ＪＩＳで規定され、通常三刺激値Ｘ、Ｙ、Ｚを計算する色彩測定器では、そのソフトウェアの値として設定されている。
【０００５】
ある色が塗装された板金があり、これを基準板とする。そいて、この色と同じ色の塗装をしなければならない場合はよくある。このとき、基準板色の塗料の調合など不明であるとする。いざできあがっても、微妙に色が違ってくることは、色の世界ではよくある。色の違いは通常色差ΔＥで表される。これは色彩測定器で測定される（ＵＶ分光光度計＋カラー測定ソフトでもＯＫ）。例えば「ΔＥ＝０．５以上ならば色差は大きく同じ色とは認められない」などとユーザーが独自に決め、色差を判定している。基準板色の基準スペクトル曲線Ａとサンプル色のサンプルスペクトル曲線Ｂを完全に一致させられれば色差はゼロになり完全に同じ色が実現出来るが、実際は曲線を一致させるのは難しくほとんど不可能である。
【特許文献１】特開平１１−１４２３２３号公報
【考案の開示】
【考案が解決しようとする課題】
【０００６】
上のことから、実際には、塗料の調合をいろいろと試行錯誤的に変えて、サンプルスペクトル曲線Ｂを基準スペクトル曲線Ａに近づけていくという手法がとられるが、どのように近づけるのが最も効果的かというと、これが皆目わからないのが現状である。
【０００７】
色差ΔＥを小さくするのに最も効果のある（影響を与える）波長領域を即座に求められれば、調合法もある程度しぼれ、時間を短縮出来るのだが、よい方法がこれまでなかった。
【０００８】
本考案は、このような事情に鑑みてなされたものであって、基準試料と試料との色差に最も影響を与えているスペクトル情報の波長領域を、短時間で効率良く把握することができる色合わせ支援装置を提供することを目的とする。
【課題を解決するための手段】
【０００９】
上記目的を達成するために、本考案の第１の態様は、（イ）基準色の分光スペクトルを計算し基準色スペクトル曲線として設定する基準曲線設定手段と、（ロ）基準色に対し色合わせされるサンプルの分光スペクトルを計算しサンプルスペクトル曲線として設定するサンプル曲線設定手段と、（ハ）特定の波長領域において基準色スペクトル曲線に近似し、他の波長領域ではサンプルスペクトル曲線に近似するハイブリッドスペクトル曲線を設定するハイブリッド曲線設定手段と、（ニ）特定の波長領域を、逐次、一定波長分増大しながら設定する波長領域設定手段と、（ホ）ハイブリッドスペクトル曲線と基準色スペクトル曲線との色差を、それぞれ計算する色差計算手段と、（ヘ）この色差計算手段が計算した色差と、目標色差を比較し、目標色差以下の色差を与える波長領域を決定する比較判定手段とを備え、基準色スペクトル曲線とサンプルスペクトル曲線との色差を目標色差以下にするための有効な波長領域を決定する色合わせ支援装置であることを要旨とする。
【考案の効果】
【００１０】
本考案色合わせ支援装置によれば、突きとめた波長領域で曲線を一致させるような調合を第一に考えればよいことになるから、試行錯誤の度合いが減り、色合わせの作業が楽になる。
【考案を実施するための最良の形態】
【００１１】
次に、図面を参照して、本考案の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。又、以下に示す実施の形態は、本考案の技術的思想を具体化するための装置や方法を例示するものであって、本考案の技術的思想は、構成部品の材質、形状、構造、配置等を下記のものに特定するものでない。本考案の技術的思想は、実用新案登録請求の範囲に記載された技術的範囲内において、種々の変更を加えることができる。
【００１２】
本考案の実施の形態に係る色合わせ支援装置は、図１に示すように、測定者からの指示を情報処理部４に伝える選択指示部５と、選択指示部５からの指示に従って後述する各種の処理を行う情報処理部４と、情報処理部４での演算処理に利用される各種の情報が記憶されているメモリ６と、サンプルＳを測定する分光光度計部１と、分光光度計部１を制御する分光光度計制御部３と、分光光度計部１で測定されたスペクトル情報を収集する測定情報収集部２と、収集されたスペクトル情報や情報処理部４での演算処理の結果をモニタ８やプリンタ９に出力する出力制御部７とを備える。
【００１３】
選択指示部５は、マウスやキーボードなどの入力装置で構成されている。測定者は、例えば、図４及び図５に示すように、マウスを操作して、モニタ８（図１参照。）のモニタ画面３０上に表示されるカーソル１０を動かして、命令表示部３０ａの「測定開始」、「色差チェック」等の命令を選択することで、情報処理部４に指示を与える。情報処理部４は、図２に示すように、基準色の分光スペクトルを計算し基準色スペクトル曲線として設定する基準曲線設定手段４３と、基準色に対し色合わせされるサンプルの分光スペクトルを計算しサンプルスペクトル曲線として設定するサンプル曲線設定手段４４と、特定の波長領域において基準色スペクトル曲線に近似し、他の波長領域ではサンプルスペクトル曲線に近似するハイブリッドスペクトル曲線を設定するハイブリッド曲線設定手段４５と、特定の波長領域を、逐次、一定波長分増大しながら設定する波長領域設定手段４２と、ハイブリッドスペクトル曲線と基準色スペクトル曲線との色差を、特定の波長領域についてそれぞれ計算する色差計算手段４６と、この色差計算手段４６が計算した色差と、目標色差を比較し、目標色差以下の色差を与える波長領域を決定する比較判定手段４７とを備える。更に、目標色差を設定する色差設定手段４１及び、目標色差以下の色差を与える波長領域が決定された場合、その結果をモニタ８（図１参照。）のモニタ画面３０上に表示する表示手段４８をも備える。そして、この情報処理部４は、選択指示部５によって、例えば測定の開始の指示がされると、メモリ６に予め記憶されている測定条件に従って、分光光度計制御部３に測定開始の指示をしたり、測定情報収集部２にスペクトル情報の収集の開始を指示したりする。更に、情報処理部４は、測定情報収集部２に収集されたスペクトル情報と、メモリ６に記憶されている各種の演算情報に基づいて、後述する演算処理を行
い、基準色スペクトル曲線とサンプルスペクトル曲線との色差を目標色差以下にするための有効な波長領域を決定する。
【００１４】
図１に示すメモリ６には、サンプルＳを測定するための測定条件と、測定情報収集部２に収集されたスペクトル情報から色彩情報を算出するための既知の演算情報である、等色関数値ｘ（λ）、ｙ（λ）、ｚ（λ）、光源の分光特性Ｓ（λ）とが予め記憶されている。
【００１５】
この等色関数値ｘ（λ）、ｙ（λ）、ｚ（λ）、光源の分光特性Ｓ（λ）は、波長毎の既知の値で表される。
【００１６】
図１に示す分光光度計制御部３は、情報処理部４から送られてきた測定条件と測定の開始の指示を受けて、分光光度計部１の回折格子１ａ等を測定開始位置に設定する。その後、分光光度計制御部３は、分光光度計部１でのサンプルＳの測定を開始するとともに、測定中の分光光度計部１内の回折格子１ａ等の各部を動きを制御する。分光光度計部１は、回折格子１ａに向けて白色光を発する図示しない光源と、図示しない揺動機構に取付けられた回折格子１ａと、微細な開口部を備えるスリット１ｂと、サンプルＳで反射した光を受光する光電子増倍管１ｏとで構成される。
【００１７】
上述した分光光度計制御部３によって制御された分光光度計部１では、具体的には次のように動作する。
【００１８】
（ａ）分光光度計部１は、分光光度計制御部３から測定開始の指示があると、光源から回折格子１ａに向けて白色光を照射する。回折格子１ａは、この白色光を波長毎の光に分割する。分割された光の内、特定の波長の光だけが、スリット１ｂを通過して、サンプルＳに照射される。このとき、回折格子１ａは、徐々に揺動変位するので、サンプルＳに照射される光の波長も徐々に変化する。
【００１９】
（ｂ）サンプルＳで反射した光は、光電子増倍管１ｏで受光され、電圧等の電気信号に変換される。ここで、サンプルＳで反射して光電子増倍管１ｏに到達する光の量は、光の波長によって異なるので、この波長の変化に伴って、電気信号の値が変化する。つまり、この測定によって、波長毎のサンプルＳでの反射率を表すスペクトル情報を得ることができる。
【００２０】
（ｃ）測定情報収集部２は、分光光度計部１で得られるスペクトル情報を逐次収集する。
【００２１】
このスペクトル情報は、情報処理部４によって、後述する演算処理が行われ、色彩情報及び色差の値に変換される。
【００２２】
（ｄ）出力制御部７は、スペクトル情報及び色差の値をモニタ８に表示したり、プリンタ９に印刷出力する。
【００２３】
以下、具体的に本考案の実施形態に係る色合わせ支援装置で行われる処理の流れを図３に示すフローチャートを参照して説明する。以下に述べる色合わせのための波長領域決定方法は、一例であり、この変形例を含めて、これ以外の種々の方法により、実現可能であることは勿論である。図３に示すフローチャートでは、色差ΔＥ＝０．６の基準色（基準スペクトル曲線Ａ）とサンプル（サンプルスペクトル曲線Ｂ）があるとする。カラー測定では３８０〜７８０ｎｍのスペクトルを測定する。Ｗ＝１ｎｍ毎に測定したとする。例えば、いまΔＥ＝０．３以下にしたいとする。
【００２４】
（イ）先ず、測定者は、基準色のサンプルＳ0と、サンプルＳ1とを分光光度計部１にセットするとともに、図４に示すモニタ画面３０の命令表示部３０ａの「測定開始」を選択する。この選択は、選択指示部５を操作して、モニタ画面３０上のカーソル１０によって行う。「測定開始」が選択されると、情報処理部４は、メモリ６に記憶されている測定時間などの測定条件を呼び出すとともに、この測定条件と測定開始の指示を分光光度計制御部３と測定情報収集部２に送る。分光光度計制御部３は、測定条件に基づいて、分光光度計部１内の各部を設定するとともに、分光光度計部１に測定の開始を指示する。分光光度計部１は、先ず、基準色のサンプルＳ0に所定の波長の範囲、例えば波長３８０〜７８０ｎｍまでの光を順次照射して、サンプルＳ0で反射した光を電気信号に順次変換する。測定情報収集部２は、この電気信号を順次反射率に変換して収集する。つまり、測定情報収集部２に収集された情報を、情報処理部４の基準曲線設定手段４３が、波長３８０〜７８０ｎｍの波長領域での反射率を示す基準スペクトル曲線Ａとして収集する。同様にして、情報処理部４のサンプル曲線設定手段４４が、サンプルＳ１のサンプルスペクトル曲線Ｂも収集する。なお、電気信号から反射率への変換は、例えば光電子増倍管１ｏにおいて特定の波長の光が直接受光されて変換される電気信号を基準色として、サンプルＳ0で反射した光が受光されて変換される電気信号の減衰の程度を算出することで行う。情報処理部４の基準曲線設定手段４３は、サンプルＳ0の測定が終了すると、図４に示すように、モニタ８のモニタ画面３０のスペクトル表示画面３１に基準スペクトル曲線Ａを表示し、情報処理部４の基準曲線設定手段４３は、サンプルＳ1の測定が終了すると、図４に示すように、モニタ８のモニタ画面３０のスペクトル表示画面３１にサンプルスペクトル曲線Ｂを表示し、測定の終了を測定者に知らせる。
【００２５】
（ロ）測定者は、次にサンプルＳ0とサンプルＳ1との色差を求めるために、モニタ画面３０の「色差算出」を選択する。「色差算出」が選択されると、情報処理部４の色差計算手段４６は、先ず測定情報収集部２の基準スペクトル曲線Ａ及びサンプルスペクトル曲線Ｂに、等色関数値ｘ（λ）、ｙ（λ）、ｚ（λ）、光源の分光特性の値Ｓ（λ）をそれぞれ乗じて、色彩情報Ａ0、Ａ1を算出する。この色彩情報Ａ0、Ａ1を算出するための色差計算手段４６における計算方法は、「ＪＩＳ  Ｚ  ８７２２」に規定されている方法が用いられる。具体的には、先ず、色差計算手段４６が次式（２ａ）−（２ｄ）によって、三刺激値Ｘ、Ｙ、Ｚを算出する：
Ｘ＝ＫΣ380-780Ｓ(λ)・ｘ(λ)・Ｒ(λ)                      ……（２ａ）
Ｙ＝ＫΣ380-780Ｓ(λ)・ｙ(λ)・Ｒ(λ)                      ……（２ｂ）
Ｚ＝ＫΣ380-780Ｓ(λ)・ｚ(λ)・Ｒ(λ)                      ……（２ｃ）
Ｋ＝１００／（Σ380-780Ｓ(λ)・ｙ(λ)）                    ……（２ｄ）
式（２ａ）−（２ｄ）によって、基準スペクトル曲線Ａに基づく三刺激値Ｘ0、Ｙ0、Ｚ0と、サンプルスペクトル曲線Ｂに基づく三刺激値Ｘ1、Ｙ1、Ｚ1とが求まる。ここで、Σ380-780は初期値λ＝３８０ｎｍから最終値λ＝７８０ｎｍまでの総和を表す。この三刺激値Ｘ0、Ｙ0、Ｚ0及びＸ1、Ｙ1、Ｚ1によって、サンプルＳ0、Ｓ1の色彩情報Ａ0、Ａ1をそれぞれ種々の表色系で表すことができる。この表色系は、例えばＸＹＺ表色系、Ｌａｂ表色系、Ｌ*ａ*ｂ*表色系等があり、本考案の実施形態ではＬ*ａ*ｂ*表色系について説明する。色差計算手段４６はＬ*ａ*ｂ*表色系におけるＬ*値、ａ*値、ｂ*値を、三刺激値Ｘ、Ｙ、Ｚに基づき、次式（２ａ）−（２ｃ）によって算出する：
Ｌ*＝１１６（Ｙ／ＹP）1/3−１６                            ……（３ａ）
ａ*＝５００（（Ｘ／ＸP）1/3−（Ｙ／ＹP）1/3）              ……（３ｂ）
ｂ*＝２００（（Ｙ／ＹP）1/3−（Ｘ／ＺP）1/3）              ……（３ｃ）
色彩情報Ａ0、Ａ1は、上記式（３ａ）−（３ｃ）から算出されたＬ0*、ａ0*、ｂ0*及びＬ1*、ａ1*、ｂ1*によって表される。続いて、情報処理部４の色差計算手段４６は、色彩情報Ａ0とＡ1との色差ΔＥを求める。色差ΔＥは、次式（４）によって算出する：
ΔＥ＝（（Ｌ0*−Ｌ1*）2＋（ａ0*−ａ1*）2＋（ｂ0*−ｂ1*）2）1/2  ……（４）
式（４）によって情報処理部４の色差計算手段４６が算出した色差ΔＥを、情報処理部４の表示手段４８が、基準スペクトル曲線Ａ及びサンプルスペクトル曲線Ｂに併せてモニタ画面３０のスペクトル表示画面３１に表示する。ここで算出された色差ΔＥの値は、例えば「色差ΔＥ＝０．６」として、スペクトル表示画面３１に表示手段４８が表示する（図４参照）。
【００２６】
（ハ）次に、図３のステップＳ４０１において、入力装置を介して入力された希望のΔＥ＝０．３を、情報処理部４の色差設定手段４１が設定する。更に、図３のステップＳ４０２において、情報処理部４の波長領域設定手段４２がＷ＝１ｎｍ幅の波長領域Ｐを初期値として設定する。図３に示すフローチャートの最初のループでは、ステップＳ４０３の波長領域Ｐは、Ｗ＝１ｎｍである。
【００２７】
（ニ）次に、ステップＳ４０４において、情報処理部４のハイブリッド曲線設定手段４５が、図５に示すように、Ｗ＝１ｎｍの波長領域Ｐだけ基準スペクトル曲線Ａに一致させ、他はサンプルスペクトル曲線Ｂと同じとなるハイブリッドスペクトル曲線Ｃを作る。Ｗ＝１ｎｍのときは、ハイブリッドスペクトル曲線Ｃは（７８０−３８０）／１＝４００／１＝４００個できる。そして、ステップＳ４０５において、情報処理部４の色差計算手段４６が基準スペクトル曲線Ａとすべてのハイブリッドスペクトル曲線Ｃとでそれぞれ色差ΔＥを算出する。
【００２８】
（ホ）そして、ステップＳ４０６において、情報処理部４の比較判定手段４７が、４００個のすべてのハイブリッドスペクトル曲線Ｃ中で、０．３以下のΔＥを与えるハイブリッドスペクトル曲線Ｃがあれば、それが関心あるハイブリッドスペクトル曲線Ｃとなり、ステップＳ４０７において、情報処理部４の表示手段４８がこのハイブリッドスペクトル曲線ＣでのＰの位置を、図１に示したモニタ８のモニタ画面３０に答えとして表示する。
【００２９】
（ヘ）もし、ステップＳ４０６において、０．３以下のΔＥを与えるハイブリッドスペクトル曲線Ｃひとつもなければ、波長領域設定手段４２がステップＳ４０８においてＷに１を加え、ステップＳ４０３に戻る。図３に示すフローチャートの２回目のループでは、ステップＳ４０３の波長領域Ｐは、Ｗ＝２ｎｍである。次に、ステップＳ４０４において、情報処理部４のハイブリッド曲線設定手段４５が、図５に示すように、Ｗ＝２ｎｍの波長領域Ｐだけ基準スペクトル曲線Ａに一致させ、他はサンプルスペクトル曲線Ｂと同じとなるハイブリッドスペクトル曲線Ｃを作る。Ｗ＝２ｎｍのときは、ハイブリッドスペクトル曲線Ｃは（７８０−３８０）／２＝４００／２＝２００個できる。そして、ステップＳ４０５において、情報処理部４の色差計算手段４６が基準スペクトル曲線Ａとすべてのハイブリッドスペクトル曲線Ｃとでそれぞれ色差ΔＥを算出する。
【００３０】
（ト）そして、ステップＳ４０６において、情報処理部４の比較判定手段４７が、４００個のすべてのハイブリッドスペクトル曲線Ｃ中で、０．３以下のΔＥを与えるハイブリッドスペクトル曲線Ｃがあれば、それが関心あるハイブリッドスペクトル曲線Ｃとなり、ステップＳ４０７において、情報処理部４の表示手段４８がこのハイブリッドスペクトル曲線ＣでのＰの位置を、図１に示したモニタ８のモニタ画面３０に答えとして表示する。もし、ステップＳ４０６において、０．３以下のΔＥを与えるハイブリッドスペクトル曲線Ｃひとつもなければ、波長領域設定手段４２がステップＳ４０８においてＷに１を加え、ステップＳ４０３に戻る。図３に示すフローチャートの３回目のループでは、ステップＳ４０３の波長領域Ｐは、Ｗ＝３ｎｍである。
【００３１】
（チ）次に、ステップＳ４０４において、情報処理部４のハイブリッド曲線設定手段４５が、図５に示すように、Ｗ＝３ｎｍの波長領域Ｐだけ基準スペクトル曲線Ａに一致させ、他はサンプルスペクトル曲線Ｂと同じとなるハイブリッドスペクトル曲線Ｃを作る。Ｗ＝３ｎｍのときは、ハイブリッドスペクトル曲線Ｃは（７８０−３８０）／３＝４００／３≒６６個できる。そして、ステップＳ４０５において、情報処理部４の色差計算手段４６が基準スペクトル曲線Ａとすべてのハイブリッドスペクトル曲線Ｃとでそれぞれ色差ΔＥを算出する。そして、ステップＳ４０６において、情報処理部４の比較判定手段４７が、４００個のすべてのハイブリッドスペクトル曲線Ｃ中で、０．３以下のΔＥを与えるハイブリッドスペクトル曲線Ｃがあれば、それが関心あるハイブリッドスペクトル曲線Ｃとなり、ステップＳ４０７において、情報処理部４の表示手段４８がこのハイブリッドスペクトル曲線ＣでのＰの位置を、図１に示したモニタ８のモニタ画面３０に答えとして表示する。もし、ステップＳ４０６において、０．３以下のΔＥを与えるハイブリッドスペクトル曲線Ｃひとつもなければ、波長領域設定手段４２がステップＳ４０８においてＷに１を加え、ステップＳ４０３に戻る。図３に示すフローチャートの４回目のループでは、ステップＳ４０３の波長領域Ｐは、Ｗ＝４ｎｍである。
【００３２】
（リ）このように、波長領域設定手段４２が徐々に波長領域Ｐの幅Ｗを大きくしていき、移動させるごとにハイブリッド曲線設定手段４５が、新しいハイブリッドスペクトル曲線Ｃを作り、それと基準スペクトル曲線Ａとの色差ΔＥを色差計算手段４６が計算しつづける。そして、どこかのループのステップＳ４０６において、比較判定手段４７が答えを見つければ、そのループでプログラムは終了する。このように徐々に波長領域Ｐを広げつつ探索していくが、コンピュータで計算するので、瞬時に答えが出る。上で見つけた波長領域Ｐの箇所だけ基準スペクトル曲線Ａに一致するようなスペクトルを与える塗料を作れば一挙に色差が０．３まで下げられる。
【００３３】
このように、本考案の実施の形態に係る色合わせ支援装置によれば、図４において、基準スペクトル曲線Ａとサンプルスペクトル曲線ＢではΔＥ＝０．６もあったものが、図５に示すように、幅Ｗの波長領域だけ基準スペクトル曲線Ａに一致したハイブリッドスペクトル曲線Ｃを考えれば基準スペクトル曲線Ａとハイブリッドスペクトル曲線ＣではΔＥ＝０．３に下がることができる。即ち、本考案の実施の形態に係る色合わせ支援装置によれば、色差ΔＥに最も大きな影響を与えている波長領域Ｐを短時間で突きとめることができる。どの波長領域Ｐを一致させれば、色違いを解消出来るかの見当がつくので、色合わせの作業が高効率化できる。図４において波長３８０ｎｍや７８０ｎｍ付近で基準スペクトル曲線Ａとサンプルスペクトル曲線Ｂの差が大きく、一見、この付近の領域の影響が大きいのではないか？と思われるかもしれないが、この端の付近は式（１）で示したように、目の感度値や照明光のエネルギー値の値が小さく、意外に影響は小さい。
【００３４】
図２に示した一連の色合わせのために波長領域Ｐを決定する操作は、図２と等価なアルゴリズムのプログラムにより、図１に示した色合わせ支援装置を制御して実行出来る。このプログラムは、本考案の色合わせ支援装置を構成するコンピュータシステムのプログラム記憶装置（図示省略）に記憶させればよい。又、このプログラムは、コンピュータ読取り可能な記録媒体に保存し、この記録媒体を色合わせ支援装置のプログラム記憶装置に読み込ませることにより、本考案の一連の操作を実行することができる。ここで、「コンピュータ読取り可能な記録媒体」とは、例えばコンピュータの外部メモリ装置、半導体メモリ、磁気ディスク、光ディスク、光磁気ディスク、磁気テープなどのプログラムを記録することができるような媒体などを意味する。具体的には、フレキシブルディスク、ＣＤ−ＲＯＭ，ＭＯディスク、カセットテープ、オープンリールテープなどが「コンピュータ読取り可能な記録媒体」に含まれる。例えば、色合わせ支援装置の本体は、フレキシブルディスク装置（フレキシブルディスクドライブ）及び光ディスク装置（光ディスクドライブ）を内蔵若しくは外部接続するように構成出来る。フレキシブルディスクドライブに対してはフレキシブルディスクを、又光ディスクドライブに対してはＣＤ−ＲＯＭをその挿入口から挿入し、所定の読み出し操作を行うことにより、これらの記録媒体に格納されたプログラムを色合わせ支援装置を構成するプログラム記憶装置にインストールすることができる。又、所定のドライブ装置を接続することにより、例えばゲームパック等に利用されているメモリ装置としてのＲＯＭや、磁気テープ装置としてのカセットテープを用いることもできる。更に、インターネット等の情報処理ネットワークを介して、このプログラムをプログラム記憶装置に格納することが可能である。
【００３５】
（その他の実施の形態）
上記のように、本考案は上記の実施の形態によって記載したが、この開示の一部をなす論述及び図面は本考案を限定するものであると理解すべきではない。この開示から当業者には様々な代替実施の形態、本考案の実施形態及び運用技術が明らかとなろう。このように、本考案はここでは記載していない様々な実施の形態等を含むことは勿論である。したがって、本考案の技術的範囲は上記の説明から妥当な実用新案登録請求の範囲に係る考案特定事項によってのみ定められるものである。
【産業上の利用可能性】
【００３６】
本考案は、色彩測定、色差測定を行っている産業上の分野に利用可能である。特に、染料・塗料、プラスチック、繊維、化粧品、医薬品、紙ほか多数の産業に利用可能である。
【図面の簡単な説明】
【００３７】
【図１】本考案の実施の形態に係る色合わせ支援装置の概略を説明するためのブロック図である。
【図２】本考案の実施の形態に係る色合わせ支援装置の情報処理部のハドウェア資源の概略を説明するためのブロック図である。
【図３】本考案の実施の形態に係る色合わせ支援装置を用いて、色合わせに必要な波長領域を決定する方法を説明するフローチャートである。
【図４】本考案の実施の形態に係る色合わせ支援装置のモニタのモニタ画面上に表示された、基準色の基準スペクトル曲線Ａとサンプルのサンプルスペクトル曲線Ｂの概略を説明する模式図である。
【図５】本考案の実施の形態に係る色合わせ支援装置のモニタのモニタ画面上に表示された、波長領域Ｐの幅Ｗ及びハイブリッドスペクトル曲線Ｃの概略を説明する模式図である。
【符号の説明】
【００３８】
１…分光光度計部
１ａ…回折格子
１ｂ…スリット
１ｏ…光電子増倍管
２…測定情報収集部
３…分光光度計制御部
４…情報処理部
５…選択指示部
６…メモリ
７…出力制御部
８…モニタ
９…プリンタ
１０…カーソル
３０…モニタ画面
３０ａ…命令表示部
３１…スペクトル表示画面
４１…色差設定手段
４２…波長領域設定手段
４３…基準曲線設定手段
４４…サンプル曲線設定手段
４５…ハイブリッド曲線設定手段
４６…色差計算手段
４７…比較判定手段
４８…表示手段
【図１】
0003131138.tif 000003
【図２】
0003131138.tif 000004
【図３】
0003131138.tif 000005
【図４】
0003131138.tif 000006
【図５】
0003131138.tif 000007